(57)【要約】【課題】  本発明は、味噌や味噌等の粘稠性食品を液体に溶解するとき、一定量の分量を掬い取り、液体の中に入れて揺すって溶解するとともに、攪拌棒を使って、効率よく溶かし、溶解できた汁を掬って味見するまでを簡単にできることを提供する調理具。【解決手段】  適宜長さの柄部の一端に、味噌や味噌等の粘稠性食品を掬い取る複数の貫通孔を設け、先端の形状を側面視が先細りのスコップ状にした計量部を備えた第１計量スプーンと、適宜長さの柄部の一端に、味噌や味噌等の粘稠性食品を掬い取る複数の貫通孔を設け、先端に液溜め部を設けた計量部を備えた第２計量スプーンとを向かい合わせに重ね、両計量スプーンの柄部の中央付近に回転軸を備えた。さらに、第２計量スプーンに攪拌するための攪拌棒を備えたことを特徴とする調理具。【選択図】  図１
2020054621.tif 000002
【特許請求の範囲】
【請求項１】
柄の先端に粘稠性食品を掬い取る計量部を有する一対の計量スプーンを向かい合わせての状態で互いに水平面内で回転可能に結合する回転軸を備えた調理具であって、少なくとも前記一方の計量部には、掬い取った前記粘稠性食品を分散させる複数の貫通孔が設けられ、かつ一方の計量部の先端は、他方の計量部の先端とは非対称に形成され、前記回転軸は、前記柄の各計量スプーンを向かい合わせに結合した状態で水平方向から前記各計量部の掬い取り面を擦り合わせて、重ね合わせることのできる位置に設けられている調理具。
【請求項２】
前記柄には、攪拌棒が着脱自在に取り付けられ、前記攪拌棒の先端部は、前記柄と交差する方向に広がる攪拌部が設けられ、前記攪拌部は、前記計量部内で移動可能である請求項１に記載の調理具。
【請求項３】
前記回転軸は、少なくとも一方の柄に固定された突起と、他方の柄に設けられて、前記突起が嵌合する孔とで構成され、前記突起に前記孔を嵌合すると、前記一対の計量スプーンが、着脱可能となる請求項１に記載の調理具。
【請求項４】
前記一方の計量部の先端は、側面視が先細りになって、前記粘稠性食品に差し込み可能であり、他方の計量部の先端は、液状物を蓄える深さを備えている請求項１に記載の調理具。
【請求項５】
前記一方の計量部の柄の付け根には、前記攪拌棒の挿入口が設けられている請求項１に記載の調理具。
【請求項６】
前記一対の計量スプーンの各柄には、前記回転軸から等距離離れた位置に、互いに噛み合う凹部と凸部が設けられている請求項１〜３の何れかに記載の調理具。
【発明の詳細な説明】
【技術分野】
【０００１】
本発明は、味噌や味噌等の粘稠性食品の掬い取る分量を一定にして、液の中への溶解を簡単に行うことができる調理具に関するものである。
【背景技術】
【０００２】
従来、味噌や味噌等の粘稠性のある物質の溶かし方には、掬い取り分量を比較的一定量取ることができ、掬い取った味噌等の粘稠性のある物質の入った取り出し具を液の中入れて溶解するものがある。（例えば、特許文献１参照。）
【先行技術文献】
【特許文献】
【０００３】
【特許文献１】特開２０００−２９６０４７号公報
【発明の概要】
【発明が解決しようとする課題】
【０００４】
特許文献１のように、この道具は、横幅が広くて粘稠性のある物質を容器から掬い取りにくく、掬い取った後の溢れた粘稠性のある物質を容器の縁で擦り切らなければならず、容器を汚してしまうだけでなく、容器の中に残っている粘稠性のある物質を最後まできれいに掬い取ることが困難である。
一対の網皿状部の中にある味噌等の粘稠性のある物質を液体の中に入れて揺すって溶解するようになっているが、味噌等の粘稠性のある物質の種類によっては、特に硬目のものは、最初は溶けるが、次第に粘稠性のある物質が固まって、溶けにくくなることがある。
そのときには、箸やスプーンによって粘稠性のある物質を崩さなければならない。
また、網皿状部は、壁部を網目状に形成されているが、網皿状部に液体が侵入しにくいとともに、溶解された粘稠性のある物質が網皿状部から出にくい状態になる。そのため、液体の流れが悪く、完全に溶けるまでに長い時間が必要となる。
というような欠点があった。
本発明は、これらの問題点を解決するためになされたものである。
【課題を解決するための手段】
【０００５】
請求項１の発明は、柄の先端に粘稠性食品を掬い取る計量部を有する一対の計量スプーンを向かい合わせての状態で互いに水平面内で回転可能に結合する回転軸を備えた調理具であって、少なくとも前記一方の計量部には、掬い取った前記粘稠性食品を分散させる複数の貫通孔が設けられ、かつ一方の計量部の先端は、他方の計量部の先端とは非対称に形成され、前記回転軸は、前記柄の各計量スプーンを向かい合わせに結合した状態で水平方向から前記各計量部の掬い取り面を擦り合わせて、重ね合わせることのできる位置に設けられている調理具である。
【０００６】
請求項２の発明は、前記柄には、攪拌棒が着脱自在に取り付けられ、前記攪拌棒の先端部は、前記柄と交差する方向に広がる攪拌部が設けられ、前記攪拌部は、前記計量部内に挿入可能である請求項１に記載の調理具である。
【０００７】
請求項３の発明は、前記回転軸は、少なくとも一方の柄に固定された突起と、他方の柄に設けられて、前記突起が嵌合する孔とで構成され、前記突起に前記孔を嵌合すると、前記一対の計量スプーンが、着脱可能となる請求項１に記載の調理具である。        
【０００８】
請求項４の発明は、前記一方の計量部の先端は、側面視が先細りになって、前記粘稠性食品に差し込み可能であり、他方の計量部の先端は、液状物を蓄える深さを備えている請求項１に記載の調理具である。
【０００９】
請求項５の発明は、前記一方の計量部の柄の付け根には、前記攪拌棒の挿入口が設けられている請求項１に記載の調理具である。
【００１０】
請求項６の発明は、前記一対の計量スプーンの各柄には、前記回転軸から等距離離れた位置に、互いに噛み合う凹部と凸部が設けられている請求項１〜３の何れかに記載の調理具である。
以上を特徴とする調理具である。
【発明の効果】
【００１１】
本発明の請求項１によれば、第１計量スプーン２と第２計量スプーン３を向かい合わせての状態で互いに水平面内で回転可能に結合したことにより、粘稠性食品を掬い取るときには、計量部４aと計量部４ｂの重なり合いを外して、一方の計量部４aによって、粘稠性食品を掬い取ることができる。
そのとき、粘稠性食品は、図１５のように計量部４aからたくさんあふれた状態になっているが、第１計量スプーン２と第２計量スプーン３を向かい合わせての状態で互いに水平面内で回転させることにより、前記計量部４aと計量部４ｂの掬い取り面を擦り合わせて、図１６のようにあふれている粘稠性食品をきれいに擦り切り、一定量の粘稠性食品を量ることができる。
また、掬い取った粘稠性食品を分散させる複数の貫通孔７aが設けられているため、掬い取った粘稠性食品が入った計量部４aを他方の計量部４ｂと重ね合わせて、液体の中に入れると液体が貫通孔７a、貫通孔７bを通って重ね合った計量部４a、計量部４bに入り、それを振ることによって粘稠性食品と液体が混ざり粘稠性食品が溶解する。
溶解したものは複数の貫通孔７a、貫通孔７bによって計量部４a、計量部４bから外に出て分散していく。
こうして、粘稠性食品が完全に溶解することができる。
【００１２】
本発明の請求項２によれば、攪拌棒１４は、長い棒状で、先端には攪拌部１５a、他端には持ち手となる把持部１６を有し、攪拌部１５aは、計量部４b内に挿入され、長さの方向に往復することにより計量部４a、計量部４b内の粘稠性食品を押し崩し攪拌する。
この効率的かつ効果的に粘稠性食品を液体の中で攪拌させることによって、計量部４a、計量部４bに閉じ込められた粘稠性食品が溶解されるが、粘稠性食品の中には、液体の中に入れて振ると、丸く固まりやすくなるものがあるが、固まる前の早い段階に攪拌棒１４によって攪拌し、短時間で溶かすことができる。
攪拌棒１４の攪拌部１５aは、粘稠性食品がこびりつくことがよくあるが、攪拌棒１４は着脱可能であるため、いつでも取り外して洗浄することができる。
攪拌棒１４は、攪拌部１５aと把持部１６を設けることで、バランスよく手際よく攪拌棒１４を長さの方向に往復させて粘稠性食品を攪拌することができる。
攪拌棒１４を着脱するために計量部４bに設けた挿入口９が大きいので、計量部４aと計量部４bの内にある攪拌部１５aを前後上下左右自由に動かすことができ、溶けて小さくなった粘稠性食品までも狙って攪拌することができるため、溶けないからといって、わざわざ箸やスプーンなどを用意して崩す必要がない。
【００１３】
本発明の請求項３によれば、分離可能な調理具１であり、すべての部品を分離して隅々まで細かく洗浄することができるため衛生的である。
また、それぞれの部品を分離して、第１計量スプーン２、第２計量スプーン３のどちらか一方だけでスプーンなどとして使うことも可能になる。
攪拌棒１４が不必要な時には、攪拌棒１４だけを取り外して別の使い方ができる。
例えば、攪拌棒１４だけを使って、コップの中に入っている液体を混ぜたり、お玉杓子や皿に載せた粘稠性食品を崩したりすることにも利用ができる。このように用途が広くなる。
【００１４】
本発明の請求項４によれば、第１計量スプーン２の計量部４aの先端部８aの側面視が先細りになっているため、新品や硬い目の粘稠性食品のときは、スコップを使う時のように上から差し込んだり、斜めに差し込んで掬ったりすることができるため非常に取りやすくて便利である。
第２計量スプーン３の計量部４bの先端部８bの液溜め部１２は液状物を蓄える深さを備えているため、粘稠性食品を溶解したとき、計量部４bの先端部８bの液溜め部１２で掬って味見をすることができる。
身近な味噌で説明すると、味噌汁を作ったとき、計量部４bの先端部８ｂの液溜め部１２に味噌汁を掬って味見をするので、わざわざ味見するためのスプーン等を用意しなくてもよい。
また、わざわざ調理具１を置いて、味噌汁を掬うためのお玉杓子などに持ち替えてする必要もなく手間が省ける。
特に、第１計量スプーン２と第２計量スプーン３を図１４に示すような状態にできるため、味噌を掬うときに他方の第１計量スプーン２が邪魔にならず、熱いものを安全に安心して掬うことができる。
【００１５】
本発明の請求項５によれば、第２計量スプーン３の計量部４bの柄５ｂの付け根に攪拌棒１４の挿入口９が設けてあり、攪拌棒１４の着脱が簡単にできるため、取り外して洗浄することができるので衛生的である。
また、前記のように攪拌棒１４だけを使って、別の用途に使用することも可能である。
【００１６】
本発明の請求項６によれば、第２計量スプーン３の柄部５ｂに係止凹部２０aと係止凹部２０ｂを、第１計量スプーン２の柄部５aに係止凸部１９aを形成したことにより、第１計量スプーン２と第２計量スプーン３を重なり合わせたとき、係止凹部２０aと係止凸部１９aとでしっかりと係止でき、計量部４aと計量部４bが互いに横ずれをして粘稠性食品が計量部４aと計量部４bの隙間からこぼれ出すこともなく、しっかり閉じ込めることができる。尚、係止凸部１９aと係止凹部２０a、２０ｂは、回転軸１１から等距離の位置に設けられている。
特に、係止凸部１９aは柄５aに設けているが、他方の柄５ｂに設けてもよい。
このときは、柄５aに係止凹部を設ける。
係止凹部と係止凸部を設けることによって、柄を持って、液体の中で調理具１を揺すっている間に柄部５aと柄部５ｂがずれて、持ちにくくなることを防ぐ。
また、図１４が示すように、係止凸部１９aと係止凹部２０bとが係止し、第１計量スプーン２と第２計量スプーン３が真直ぐになり安定した状態になり、持ちやすくなる。
新たに柄５aに回転軸１１から等距離に係止凸部１９aが設けられている反対側に２０ｂと係止する係止凸部１９ｂを設けると、図１４に示すように係止凹部２０aと係止凸部、１９ｂ、係止凹部２０bと係止凸部１９aが係止し、より強く係止され、安定した状態になる。
第１計量スプーン２と第２計量スプーン３を重ね合わせたときも、係止凹部２０aと係止凸部、１９a、係止凹部２０bと係止凸部１９bが係止し,より強く係止される。
【００１７】
多くの部品が、合成樹脂の一体成型で作れて、組み立ても簡単で、安価に製造できる
【図面の簡単な説明】
【００１８】
【図１】本発明の調理具の斜視図である。
【００１９】
【図２】本発明の調理具の側面図である。
【図３】本発明の調理具の攪拌棒を攪拌棒支え部から外した側面図である。
【図４】本発明の調理具の部分破断側面図である。
【図５】本発明の第１計量スプーンと第２計量スプーンの柄部の回転軸の断面図である。
【図６】本発明の第１計量スプーンと第２計量スプーンの柄部の回転軸の断面図である。
【図７】本発明の調理具の攪拌棒支え部を攪拌棒の把持部側に設けた正面図である。
【図８】本発明の調理具の第２計量スプーンを柄側から見た斜視図である。
【図９】本発明の攪拌棒の斜視図である。
【図１０】本発明の攪拌棒の斜視図である。
【図１１】本発明の攪拌棒の斜視図である。
【図１２】本発明の攪拌棒の斜視図である。
【図１３】本発明の攪拌棒支え部の斜視図である。
【図１４】本発明の第１計量スプーンと第２計量スプーンを反対に向けた正面図である。
【図１５】本発明の第１計量スプーンで粘稠性食品（味噌）を掬った状態の斜視図である。
【図１６】本発明の第１計量スプーンで掬った粘稠性食品（味噌）を第２計量スプーンで擦り切った状態の斜視図である。
【図１７】本発明の調理具を鍋に入れて溶解する様子の図である。
【発明を実施するための形態】
【００２０】
以下、本発明の実施の形態について説明する。
本発明の調理具１の具体的な構成について、図１、図２、図４に基づいて説明する。
図１に示すように、第１計量スプーン２は、柄部５aの先端に計量部４aを設け、計量部４aには複数の貫通孔７aを設け、計量部４aの先端部８aは側面視が先細りになっているスコップ状にし、第２計量スプーン３は柄部５bの先端に計量部４ｂを設け、計量部４ｂには複数の貫通孔７ｂを設け、計量部４ｂの先端部８ｂは液状物を蓄える深さを備えている液溜め部１２を設けた。
第１計量スプーン２と第２計量スプーン３とを向かい合わせの状態で互いに水平面内で回転可能に結合する回転軸１１を備えた。
回転軸１１は、第１計量スプーン２と第２計量スプーン３を向かい合わせに結合した状態で水平方向から計量部４aと計量部４ｂの掬い取り面を擦り合わせて、重ね合わせる位置に設けた調理具１である。
【００２１】
計量部について説明する。
第１計量スプーン２の計量部４aと第２計量スプーン３の計量部４ｂには、ともに複数の貫通孔７a、貫通孔７ｂを設ける。
また、第１計量スプーン２の計量部４aに貫通孔７aを設け、第２計量スプーン３の計量部４ｂに貫通孔を設けない場合や第１計量スプーン２の計量部４aに貫通孔を設けず、第２計量スプーン３の計量部４ｂに貫通孔７ｂを設ける場合もできる。
計量部の形状は、計量部４aと計量部４ｂを向かい合わせに重ね合わせられ、粘稠性食品が貯められる形であれば、図示しない、実施形態以外の中空の半球状、箱型、提灯型など種々の皿状のものが採用できる。
また、必要に応じて、計量部の大きさを変えることもできる。
第１計量スプーン２の計量部４aは、先端部８aを側面視が先細りのスコップ状にし、第２計量スプーン３の計量部４ｂは液状物を蓄える深さを備えている液溜め部１２を設けたものであるが、第１計量スプーン２と第２計量スプーン３ともに計量部の先端を側面視が
先細りのスコップ状にもできる。
また、第１計量スプーン２と第２計量スプーン３ともに計量部を液溜め部を設けた形状にもできるが、その場合は、第１計量スプーン２と第２計量スプーン３の計量部のどちらかに液溜め部を設け、他方には液溜め部を設けず、計量部全体に複数の貫通孔を設ける。
上記液溜め部を設けた計量部は、貫通孔を設けない場合と液溜め部以外の場所には複数の貫通孔を設けることもできる。
【００２２】
計量部の貫通孔について説明する。
計量部４aの貫通孔７aと計量部４ｂの貫通孔７ｂは、それぞれに数量、大きさ、形、場所を変えることができる。
第１計量スプーン２の計量部４aは、先端部８aを側面視が先細りのスコップ状にしてあり、そこには貫通孔７aを設けているが、他の場所に複数の貫通孔７aを設けているので、スコップ状の所だけ貫通孔７aを設けなくてもよい。
【００２３】
一対の計量スプーンの結合について説明する。
第１計量スプーン２と第２計量スプーン３とを向かい合わせの状態で互いに水平面内で回転可能に結合する回転軸１１を備えたが、結合の方法には、いくつかの方法がある。
図４に示すように、一方の計量スプーンの柄部の中央付近には外方に向かって、係止突起１７aを突設し、他方の計量スプーンの柄部の中央付近に係止突起１７aが係脱自在に嵌合する係止穴１８を凹設し回転可能に取り付ける。
係止突起１７aと係止穴１８は、第１計量スプーン２と第２計量スプーン３のどちら側に設けてもよい。
図５が示すように、一方の計量スプーンの柄部に係止突起１７ｂを形成し、他方の計量スプーンの柄部には孔６eを形成し、回転可能に取り付ける。
係止突起１７ｂと孔６eは、第１計量スプーン２と第２計量スプーン３のどちら側に設けてもよい。
図６が示すように、各計量スプーンの柄部の中央付近に設けた孔６a、孔６ｂに留め具１０を回転可能に取り付ける。
留め具１０をつける柄には、留め具が柄部の水平線からはみ出さないように、溝を設ける。
【００２４】
また、各計量スプーンをそれぞれ一体成型し、一方の計量スプーンの柄部の中央付近にスナップ状の凸と他方の計量スプーンの柄部の中央付近にスナップ状の凹を作り回転可動に結合することもできる。
【００２５】
攪拌棒１４について説明する。
攪拌棒１４の一端に攪拌する攪拌部１５aを形成し、他端に把持部１６を形成する。
攪拌部１５aが計量部４ｂの内部に位置するように設ける。
攪拌棒１４は長い棒状に形成し、長さの方向に往復させることにより計量部４a、計量部４ｂ内にある粘稠性食品を攪拌する。
攪拌棒１４は金属で、把持部１６は熱を伝えにくい材質であるが、すべて同じ材質でもよい。
例えば、樹脂で一体成型したもの、金属だけで成形したものなど。
攪拌棒１４は第１計量スプーン２、第２計量スプーン３のどちらに設けてもよい。
攪拌棒１４は、攪拌部１５aと把持部１６を設けることで、バランスよく攪拌棒１４を長さの方向に往復させることができる。
把持部１６は、攪拌棒支え部１３に収めたまま柄部５ｂにそって長さの方向に往復させるときには、把持部１６に溝などの滑り止めを設けると、滑りにくく操作しやすくなる。
計量部４ｂに設けた挿入口９を使って攪拌棒１４を着脱するため、把持部１６の形状は、挿入口９の形状に合わせて着脱しやすい形状にする。
【００２６】
攪拌棒１４の攪拌部１５aについて説明する。
攪拌棒１４の攪拌部１５aの形状は、図９〜図１２に示すように様々な形状ができる。粘稠性食品を押し潰し攪拌することができる形状であればどのような形状でもよい。
取り扱う粘稠性食品の種類によって、攪拌棒１４の攪拌部１５aの形状を変えるとよい。
【００２７】
攪拌棒支え部１３について説明する。
図２、図３、図８、図１３に示すように、第２計量スプーン３の柄部５ｂに攪拌棒支え部１３を設ける。
攪拌棒支え部１３は、攪拌棒１４を柄部５ｂに添わせて平行に攪拌棒支え部１３の中空部２１収めたり、取り外したりすることができるように開口部２２を設ける。
攪拌棒支え部１３は、攪拌棒１４が攪拌棒支え部１３に収められた時、攪拌棒支え部１３の中空部２１の壁と攪拌棒１４の間に隙間ができるように設け、攪拌棒１４が攪拌支え部１３に収めたまま長さの方向に往復させることができるようにした。
攪拌棒支え部１３に設けた開口部２２によって、攪拌棒１４を横にずらせて攪拌棒支え部１３から取り外すことができ、取り外した時は、把持部１６がどの位置にあっても前後上下左右自由に攪拌棒１４を長さの方向に往復させることができる。
図７に示すように、攪拌棒支え部１３を把持部１６の近くに設けてもよい。
また、攪拌棒支え部１３を設けなくてもよい。
【００２８】
攪拌棒１４の着脱について説明する。
攪拌棒１４の着脱は、把持部１６を計量部４ｂに設けた挿入口９に通すことによってできる。
図８に示すように、計量部４ｂに設けた挿入口９の形状が、攪拌棒１４に取り付けた把持部１６の面の形状と同じで、把持部１６を縦横反対にすることで、挿入口９を通過することで着脱ができるが、挿入口９の形状と把持部１６の形状は、把持部１６が挿入口９を通過できる形状であればどのような形状でもよい。
【００２９】
粘稠性食品を擦り切るための構造について説明する。
第１計量スプーン２と第２計量スプーン３の計量部４aと計量部４ｂが向かい合わせての状態で回転軸１１によって互いに水平面内で回転可能になり、離れていた計量部４aと計量部４ｂが水平方向から計量部４aと計量部４ｂの掬い取り面を擦り合わせて、重なり合う時に粘稠性食品を擦り切る。
【００３０】
分離可能について説明する。
回転軸１１部分で第１計量スプーン２と第２計量スプーン３とを分離し、攪拌棒１４は前記に示したように把持部１６を挿入口９に通して抜くことで全てが分離できる。
【００３１】
第１計量スプーン２と第２計量スプーン３とを重ね合わせた時、重ねがずれないようにする方法について説明する。
図４に示すように、第２計量スプーン３の柄部５ｂに係止凹部２０aと係止凹部２０ｂを、第１計量スプーン２の柄部５aに係止凸部１９aを形成し、第１計量スプーン２と第２計量スプーン３を重なり合わせたとき、係止凹部２０aと係止凸部１９aとで係止できる。
係止凸部１９aと係止凹部２０a、係止凹部２０ｂは、回転軸１１から等距離の位置に設ける。
特に、係止凸部１９aは一方の柄５aのみに設けているが、他方の柄５ｂに設けてもよい。
また、図４では係止凸部は、係止凸部１９aだけであるが、図１に示すように、係止凹部２０ｂと係止ができる係止凸部１９ｂを設けてもよい。
係止凸部と係止凹部は柄５a、柄５ｂのどちら側に形成してもよい。
【００３２】
調理具１は、構造上、材質や材質の強度などを変えることができる。
また、第１計量スプーン２と第２計量スプーン３ともに計量部の部分を金属にすることができる。
すべてを金属にすることもできるが、この場合は柄部や攪拌棒の把持部には熱が伝わらないように樹脂等を利用する。
第１計量スプーン２、第２計量スプーン３、攪拌棒１４は、それぞれに合成樹脂の一体成型で製造することもできる。
【００３３】
使わない時には、第１計量スプーン２と第２計量スプーン３を重ね合わせて、各柄に設けた孔６ｃ、孔６ｄを利用してフックなどに掛けておく。
本発明は以上のような構成である。
【００３４】
本発明の使い方を説明する。
第１計量スプーン２と第２計量スプーン３を水平方向に移動して、計量部４aと計量部４ｂの重なりを外して、図１４、図１５、図１６のように第１計量スプーン２の計量部４aと第２計量スプーン３の計量部４ｂを粘稠性食品が取りやすい角度に離す。
第１計量スプーン２を使って、容器に充填されている粘稠性食品に対して上から差し込んで、粘稠性食品を掬う。
図１５が示すように、掬った粘稠性食品２３aは、第１計量スプーン２の計量部４aからはみ出した状態になっているので、粘稠性食品２３aを掬ってあふれている第１計量スプーン２の粘稠性食品２３aを、第２計量スプーン３を水平方向に移動して、計量部４aと計量部４ｂの掬い取り面を擦り合わせ重ね合わせて擦り切る。
図１６は、擦り切った後の計量部４aに入っている粘稠性食品２３ｂの様子を示したものである。こうして擦切ることによって、一定量の粘稠性食品の量を計量する。
【００３５】
図４が示すように、第１計量スプーン２の柄部５aに係止凸部１９a、第２計量スプーン３の柄部５ｂに係止凹部２０aと係止凹部２０ｂを形成しているため、第１計量スプーン２と第２計量スプーン３を重なり合わせたとき、第１計量スプーン２と第２計量スプーン３が重なり合って、しっかりと係止できる。
そのため、計量部４aと計量部４bとが互いに横ずれをして、粘稠性食品が計量部４aと計量部４bの隙間からこぼれ出すこともなく、しっかり閉じ込めることができる。
尚、図１が示すように、係止凸部１９ｂを設けると、より以上に係止できる。
【００３６】
図１７が示すように、定量に取られた粘稠性食品の入った調理具１を液体２４の入った鍋２６の中に入れて、液体２４の中で振る。
攪拌棒１４を長さの方向に往復させて粘稠性食品を押しつぶしながら攪拌し、さらに攪拌した後調理具１を振って溶解していく。
振っていると粘稠性食品は、計量部４aと計量部４ｂの中で固まりになってくることがあり、粘稠性食品が溶けにくくなるが、固まりになる前に攪拌棒１４を使って崩しておく。
粘稠性食品の様子を見ながら、攪拌していくと短時間で溶かすことができる。
【００３７】
攪拌棒１４を攪拌棒支え部１３から外して使用するときは、片方の手で重なっている一対の柄部を握って、他方の手で攪拌棒１４を攪拌棒支え部１３から外して、把持部１６を持って攪拌部１５aが粘稠性食品に当たるように長さの方向に往復させて粘稠性食品を押しつぶして攪拌する。
攪拌棒１４は前後上下左右自由に移動できるため、計量部４aと計量部４ｂによって閉じ込められた粘稠性食品の位置が変わっても、粘稠性食品をめがけて押し潰して砕いていくように攪拌する。
【００３８】
図１７が示すように、片方の手２５で粘稠性食品を溶解する場合には、調理具１の一対の柄部を握って、親指を攪拌棒１４の把持部１６に置いて、鍋２６の中に入れる。
液体２４の中に入れた調理具１を振ったり、攪拌部１５aが粘稠性食品に当たるように親指で攪拌棒１４の把持部１６を押さえて、攪拌棒１４を長さの方向に往復させたりしながら粘稠性食品を攪拌する。
【００３９】
新品の粘稠性食品の時は、第１計量スプーン２の計量部４aの先端部８aの側面視が先細りでスコップ状になっているため、粘稠性食品に向かって上から差し込んでいくようにすると掬い取りやすい。
新品の容器に入った粘稠性食品は、１度使われると、粘稠性食品に穴が開いた状態になり、第２計量スプーン３を使っても掬いやすくなる。どちらの計量スプーンを使っても取りやすい。
粘稠性食品がなくなってきたとき、容器の中の粘稠性食品を最後まで取り切るために、粘稠性食品の状況に合わせて、第１計量スプーン２と第２計量スプーン３を使い分けると、簡単にすべて味噌を掬い取ることができる。
【００４０】
粘稠性食品の量を増やしたい時は、第１計量スプーン２と第２計量スプーン３の両方ともに粘稠性食品を掬い、両方とも掬った後、第１計量スプーン２と第２計量スプーン３を水平方向に移動して計量部４aと計量部４bを重ねる。
掬った粘稠性食品は、図１５が示すように、第１計量スプーン２の計量部４aも第２計量スプーン２の計量部４bからもはみ出した状態になっているので、第１計量スプーン２と第２計量スプー３の計量部４aと計量部４ｂを水平方向に掬い取り面を擦り合わせて重なり合わせて擦り切る。
【００４１】
図１、図１４、図１５、図１６が示すように、粘稠性食品を掬う時には、第１計量スプーン２と第２計量スプーン３を掬いやすい角度にして掬う。
また、どの角度にもすることができるので、粘稠性食品を掬ったり、粘稠性食品が溶解した液体を液溜め部１２に掬ったりする時には、扱いやすい角度にして利用する。
【００４２】
取り扱う粘稠性食品の種類によって、攪拌部１５aに粘稠性食品がこびりつき、そのままではきれいに洗浄できないときに、第２計量スプーン３の計量部４ｂの柄５ｂの付け根には、攪拌棒１４を取り出すための挿入口９が設けてあり、取り外しが簡単にできるため、取り外して洗浄する。
【００４３】
挿入口９が大きいので、計量部４aと計量部４b内にある攪拌部１５aを前後左右自由に動かすことができ、粘稠性食品が溶けて小さくなっても粘稠性食品を狙って攪拌することができる。
【００４４】
本発明の請求項３によれば、分離可能な計量スプーンであるため、汚れてもそのままではきれいに洗浄できないときは、すべての部品を分離して隅々まで細かく洗浄することができる。隅々まで細かく洗浄できるので非常に衛生的である。
【００４５】
攪拌棒１４が必要でない時には取り外して、攪拌棒１４なしで使用することもできる。
【００４６】
粘稠性食品が十分に溶解したところで、味見等をするが、味見等は計量部４ｂの先端部８ｂが液状物を蓄える深さを備えている液溜め部１２に液体を掬って、皿などに移し替えて味見する。
移し替える皿などがない時は、液溜め部１２に掬った液体を直接味見もできる。
液体を掬う時は、第１計量スプーン２が邪魔になって掬いにくいので、図１４のように第１計量スプーン２を第２計量スプーン３の反対側にすると掬い易い。
液体が熱いので、掬い易くすると火傷することもない。
【００４７】
第１計量スプーン２、第２計量スプーン３、攪拌棒１４をばらばらに分離できる調理具１であるため、第１計量スプーン２、第２計量スプーン３、攪拌棒１４を分離して、それぞれ別の用途に使うこともできる。
計量部４ｂに貫通孔７ｂを設けないものはスプーン代わりにできる。
また、貫通孔７ｂが設けてあるものは、液体を貫通孔７ｂから流し、具だけ残すこともできる。
第１計量スプーン２も、計量部４aの先端部８aのスコップ状を利用して、物を掬ったりできる。
【００４８】
調理具１を使用しない時は、柄部５a、柄部５ｂの一端に設けた孔６c、孔６dを使って冷蔵庫等に設けたクリップ等に掛けて片付けられる。
本発明は以上のような使い方である。
【符号の説明】
【００４９】
１  調理具
２  第１計量スプーン        
３  第２計量スプーン  
４ａ、４ｂ  計量部
５ａ、５ｂ  柄部  
６ａ、６ｂ、６c、６d、６e  孔
７ａ、７ｂ  貫通孔
８ａ、８ｂ  先端部
９  挿入口
１０  留め具  
１１  回転軸    
１２  液溜め部
１３  攪拌棒支え部
１４  攪拌棒
１５a、１５ｂ、１５ｃ、１５d  攪拌部  
１６  把持部
１７ａ、１７ｂ、 係止突起
１８  係止穴
１９a、１９ｂ  係止凸部
２０a、２０ｂ  係止凹部
２１  中空部
２２  開口部
２３ａ、２３ｂ  粘稠性食品
２４  液体
２５  手  
２６  鍋
【図１】
2020054621.tif 000003
【図２】
2020054621.tif 000004
【図３】
2020054621.tif 000005
【図４】
2020054621.tif 000006
【図５】
2020054621.tif 000007
【図６】
2020054621.tif 000008
【図７】
2020054621.tif 000009
【図８】
2020054621.tif 000010
【図９】
2020054621.tif 000011
【図１０】
2020054621.tif 000012
【図１１】
2020054621.tif 000013
【図１２】
2020054621.tif 000014
【図１３】
2020054621.tif 000015
【図１４】
2020054621.tif 000016
【図１５】
2020054621.tif 000017
【図１６】
2020054621.tif 000018
【図１７】
2020054621.tif 000019